(57)【特許請求の範囲】
【請求項１】
正極又は負極にそれぞれ接続された一対の電極リードが突出された電池と一対の電池接続部を有する基板とがケース体内に収納されると共に、一方の電極リードが基板の一方の電池接続部に接続された電池収納パックであって、
電池保護素子を有し電池に取り付けられる被取付部と、該被取付部から突出され他方の電極リードに接続されるリード接続部と、被取付部からリード接続部と離間した状態で該リード接続部と同じ方向へ突出され基板の他方の電池接続部に接続される基板接続部とによって構成された接続体を備え、
他方の電極リードが基板の他方の電池接続部に接続体を介して接続されるようにし、
接続体の被取付部とリード接続部と基板接続部とを一体に形成した
ことを特徴とする電池収納パック。
【請求項２】
正極又は負極にそれぞれ接続された一対の電極リードが突出された電池と一対の電池接続部を有する基板とがケース体内に収納されると共に、一方の電極リードが基板の一方の電池接続部に接続された電池収納パックであって、
電池保護素子を有し電池に取り付けられる被取付部と、該被取付部から突出され他方の電極リードに接続されるリード接続部と、被取付部からリード接続部と離間した状態で該リード接続部と同じ方向へ突出され基板の他方の電池接続部に接続される基板接続部とによって構成された接続体を備え、
他方の電極リードが基板の他方の電池接続部に接続体を介して接続されるようにし、
上記基板に一対の電池接続部を複数形成して複数の電池を基板を介して接続し、
一方の電極リードと接続体の基板接続部とを同じ方向に屈曲させた状態で基板の各電池接続部に接続するようにした
ことを特徴とする電池収納パック。
【請求項３】
上記他方の電極リードに接続したリード接続部を当該他方の電極リードとともに折り返し、電池の被取付部が取り付けられた面と反対側の面に他方の電極リードとリード接続部とを取り付けるようにした
ことを特徴とする請求項１又は請求項２に記載の電池収納パック。
【請求項４】
接続体の基板接続部を基板の他方の電池接続部と同じ材料によって形成した
ことを特徴とする請求項１又は請求項２に記載の電池収納パック。
【請求項５】
正極又は負極にそれぞれ接続された一対の電極リードが突出された電池と一対の電池接続部を有する基板とがケース体内に収納されると共に一方の電極リードが基板の一方の電池接続部に接続された電池収納パックに用いられる電池保護素子を有する接続体であって、
電池保護素子を有し電池に取り付けられる被取付部と、該被取付部から突出され他方の電極リードに接続されるリード接続部と、被取付部からリード接続部と離間した状態で該リード接続部と同じ方向へ突出され基板の他方の電池接続部に接続される基板接続部とによって構成され、
被取付部とリード接続部と基板接続部とを一体に形成した
ことを特徴とする電池保護素子を有する接続体。
【請求項６】
正極又は負極にそれぞれ接続された一対の電極リードが突出された電池と一対の電池接続部を有する基板とがケース体内に収納されると共に一方の電極リードが基板の一方の電池接続部に接続された電池収納パックに用いられる電池保護素子を有する接続体であって、
電池保護素子を有し電池に取り付けられる被取付部と、該被取付部から突出され他方の電極リードに接続されるリード接続部と、被取付部からリード接続部と離間した状態で該リード接続部と同じ方向へ突出され基板の他方の電池接続部に接続される基板接続部とによって構成され、
一対の電池接続部が複数形成された基板を介して複数の電池が接続され、
基板接続部を一方の電極リードと同じ方向に屈曲させた状態で基板の他方の電池接続部に接続するようにした
ことを特徴とする電池保護素子を有する接続体。
【請求項７】
上記他方の電極リードに接続したリード接続部を当該他方の電極リードとともに折り返し、電池の被取付部が取り付けられた面と反対側の面に他方の電極リードとリード接続部とを取り付けるようにした
ことを特徴とする請求項５又は請求項６に記載の電池保護素子を有する接続体。
【請求項８】
上記基板接続部を基板の他方の電池接続部と同じ材料によって形成した
ことを特徴とする請求項５又は請求項６に記載の電池保護素子を有する接続体。
【請求項９】
正極又は負極にそれぞれ接続された一対の電極リードが突出された電池と一対の電池接続部を有する基板とがケース体内に収納された電池収納パックの製造方法であって、
電池保護素子を有する被取付部と該被取付部から突出されたリード接続部と被取付部からリード接続部と離間した状態で該リード接続部と同じ方向へ突出された基板接続部とから成る接続体の上記被取付部を電池に取り付け、
リード接続部を一方の電極リードに接続し該一方の電極リードとともに折り返し、電池の被取付部が取り付けられた面と反対側の面にリード接続部と一方の電極リードとを取り付け、
接続体の基板接続部を基板の一方の電池接続部に接続すると共に他方の電極リードを基板の他方の電池接続部に接続するようにした
ことを特徴とする電池収納パックの製造方法。
【請求項１０】
正極又は負極にそれぞれ接続された一対の電極リードが突出された複数の電池と一対の電池接続部を複数有する基板とがケース体内に収納された電池収納パックの製造方法であって、
電池保護素子を有する被取付部と該被取付部から突出されたリード接続部と被取付部からリード接続部と離間した状態で該リード接続部と同じ方向へ突出された基板接続部とから成る複数の接続体の各被取付部を各電池に取り付けると共に各リード接続部を一方の各電極リードに接続し、
接続体の各基板接続部を基板の一方の各電池接続部に接続すると共に他方の各電極リードを基板の他方の各電池接続部に接続し、
上記他方の各電極リードと接続体の各基板接続部とを同じ方向に屈曲させた状態で他方の各電極リードと各基板接続部とを基板の各電池接続部にそれぞれ接続するようにした
ことを特徴とする電池収納パックの製造方法。
【発明の詳細な説明】
【０００１】
【発明の属する技術分野】
本発明は電池収納パック、これに用いられる電池保護素子を有する接続体及び電池収納パックの製造方法に関する。詳しくは、電池と該電池用の基板とがケース体内に収納された電池収納パック、当該電池収納パックに用いられる電池保護素子を有する接続体及び当該電池収納パックの製造方法についての技術分野に関する。
【０００２】
【従来の技術】
電池、例えば、リチウムイオン２次電池がケース体内に収納された電池収納パックがあり、このような電池収納パックは、例えば、パーソナルコンピューター等の情報処理装置の充電用の電池として用いられる。
【０００３】
従来の電池収納パックの内部構造の一例を図２０に示す。
【０００４】
電池収納パックは、図示しないケース体内に電池ａと基板ｂとが収納されており、電池ａは電池本体ｃがポリマー材料から成る被覆体ｄによって密閉されて成る。
【０００５】
電池ａの長手方向における一端部は、他の部分より薄く形成されたマウント部ｅとして形成され、該マウント部ｅから電池本体ｃの正極に接続された第１の電極リードｆと負極に接続された第２の電極リードｇとが電池ａの幅方向に離間した状態で同じ方向へ突出されている。
【０００６】
基板ｂの長手方向における両端部には、図示しない正極用電極接続部と負極用電極接続部とが離間して設けられている。
【０００７】
電池収納パックは、各部品が以下のようにして組み付けられて製造される。
【０００８】
先ず、基板ｂの正極用電極接続部に板状の金属材料から成る正極タブｈの一端部を接合すると共に負極用電極接続部に板状の金属材料から成る負極タブｉの一端部を接合する。
【０００９】
次に、正極タブｈの他端部を電池保護素子として用いられるＰＴＣ素子ｊの一方の接続部ｋに接合する。ＰＴＣ素子ｊは互いに反対方向へ突出された２つの接続部ｋ、ｌを有している。
【００１０】
次いで、電池ａから突出された第１の電極リードｆに板状の金属材料から成る中継タブｍの一端部を接合する。
【００１１】
続いて、中継タブｍの他端部にＰＴＣ素子ｊの接続部ｌを接合すると共に負極タブｉの他端部を電池ａから突出された第２の電極リードｇに接合する。ＰＴＣ素子ｊは電池ａのマウント部ｅに搭載される。
【００１２】
上記のように各部品の接合を行った後に、所定の部分に図示しない絶縁シールを貼着し、電池ａ及び基板ｃをケース体内に収納することにより電池収納パックの製造を完了する。
【００１３】
【発明が解決しようとする課題】
ところが、上記した従来の電池収納パックにあっては、正極タブｈ、負極タブｉ、ＰＴＣ素子ｊ、中継タブｍ等の各部品を１つずつ順番に所定の部分に接合して組み立てていくため、作業工数が多いと共に作業時間が長いという問題がある。
【００１４】
特に、複数の電池が互いに接続されてケース体に収納されるタイプの電池収納パックを製造しようとしたときに、上記のように各部品を１つずつ順番に所定の部分に接合して組み立てるようにしたのでは、生産性が極めて悪いものとなってしまう。
【００１５】
そこで、本発明電池収納パック、これに用いられる電池保護素子を有する接続体及び電池収納パックの製造方法は、上記した問題点を克服し、電池収納パックの組立作業における作業性の向上を図ることを課題とする。
【００１６】
【課題を解決するための手段】
本発明電池収納パックは、上記した課題を解決するために、電池保護素子を有し電池に取り付けられる被取付部と、該被取付部から突出され他方の電極リードに接続されるリード接続部と、被取付部からリード接続部と離間した状態で該リード接続部と同じ方向へ突出され基板の他方の電池接続部に接続される基板接続部とによって構成された接続体を設け、他方の電極リードを基板の他方の電池接続部に接続体を介して接続するようにし、接続体の被取付部とリード接続部と基板接続部とを一体に形成したものである。
そして、別の本発明電池収納パックは、上記した課題を解決するために、電池保護素子を有し電池に取り付けられる被取付部と、該被取付部から突出され他方の電極リードに接続されるリード接続部と、被取付部からリード接続部と離間した状態で該リード接続部と同じ方向へ突出され基板の他方の電池接続部に接続される基板接続部とによって構成された接続体を設け、他方の電極リードを基板の他方の電池接続部に接続体を介して接続するようにし、基板に一対の電池接続部を複数形成して複数の電池を基板を介して接続し、一方の電極リードと接続体の基板接続部とを同じ方向に屈曲させた状態で基板の各電池接続部に接続するようにしたものである。
【００１７】
本発明電池保護素子を有する接続体は、上記した課題を解決するために、電池保護素子を有し電池に取り付けられる被取付部と、該被取付部から突出され他方の電極リードに接続されるリード接続部と、被取付部からリード接続部と離間した状態で該リード接続部と同じ方向へ突出され基板の他方の電池接続部に接続される基板接続部とによって構成し、被取付部とリード接続部と基板接続部とを一体に形成したものである。
そして、別の本発明電池保護素子を有する接続体は、上記した課題を解決するために、電池保護素子を有し電池に取り付けられる被取付部と、該被取付部から突出され他方の電極リードに接続されるリード接続部と、被取付部からリード接続部と離間した状態で該リード接続部と同じ方向へ突出され基板の他方の電池接続部に接続される基板接続部とによって構成し、一対の電池接続部が複数形成された基板を介して複数の電池を接続し、基板接続部を一方の電極リードと同じ方向に屈曲させた状態で基板の他方の電池接続部に接続するようにしたものである。
【００１８】
本発明電池収納パックの製造方法は、上記した課題を解決するために、電池保護素子を有する被取付部と該被取付部から突出されたリード接続部と被取付部からリード接続部と離間した状態で該リード接続部と同じ方向へ突出された基板接続部とから成る接続体の上記被取付部を電池に取り付け、リード接続部を一方の電極リードに接続し該一方の電極リードとともに折り返し、電池の被取付部が取り付けられた面と反対側の面にリード接続部と一方の電極リードとを取り付け、接続体の基板接続部を基板の一方の電池接続部に接続すると共に他方の電極リードを基板の他方の電池接続部に接続するようにしたものである。
【００１９】
別の本発明電池収納パックの製造方法は、上記した課題を解決するために、電池保護素子を有する被取付部と該被取付部から突出されたリード接続部と被取付部からリード接続部と離間した状態で該リード接続部と同じ方向へ突出された基板接続部とから成る複数の接続体の各被取付部を各電池に取り付けると共に各リード接続部を一方の各電極リードに接続し、接続体の各基板接続部を基板の一方の各電池接続部に接続すると共に他方の各電極リードを基板の他方の各電池接続部に接続し、上記他方の各電極リードと接続体の各基板接続部とを同じ方向に屈曲させた状態で他方の各電極リードと各基板接続部とを基板の各電池接続部にそれぞれ接続するようにしたものである。
【００２０】
従って、本発明電池収納パック、これに用いられる電池保護素子を有する接続体及び電池収納パックの製造方法にあっては、電池収納パックの組立作業における作業工数が低減される。
【００２１】
【発明の実施の形態】
以下に、本発明電池収納パック、これに用いられる電池保護素子を有する接続体及び電池収納パックの製造方法の実施の形態を添付図面を参照して説明する。
【００２２】
電池収納パック１は、例えば、パーソナルコンピューター等の情報処理装置の充電用の電池として当該パーソナルコンピューターの本体部に収納されて接続される。電池収納パック１は、扁平な略矩形状を為すケース体２内にリチウムイオン２次電池等の電池３、３、・・・と所要の各部品とが収納されて成る（図１及び図２参照）。
【００２３】
ケース体２は、上ハーフ４と下ハーフ５とが結合されて成り、一方の側の半部２ａが他方の側の半部２ｂよりも厚みが厚くされ、半部２ａの側面に接続用開口２ｃが形成されている（図１及び図２参照）。ケース体２の半部２ａの内部には、上下２段左右２列に配置された合計４つの電池３、３、・・・が収納されており、半部２ｂの内部には、左右２列に配置された２つの電池３、３が収納されており、各電池３、３、・・・は電気的に接続されている。
【００２４】
電池３は、電池本体３ａがポリマー材料から成る被覆体３ｂによって密閉されて成る（図３乃至図５参照）。電池３の長手方向における一端部は、他の部分より薄く形成されたマウント部３ｃとして形成されている。マウント部３ｃは、電池３の一方の面３ｄ側に形成されている。
【００２５】
電池３のマウント部３ｃの一端からは、電池本体３ａの正極に接続された第１の電極リード６と負極に接続された第２の電極リード７とが電池３の幅方向に離間した状態で同じ方向へ突出されている（図３参照）。第１の電極リード６はアルミニウム材料によって形成され、第２の電極リード７はニッケル材料によって形成されている。尚、電池３は、後述するように、第１の電極リード６が略１８０°折り返された状態でケース体２内に収納される（図４及び図５参照）。
【００２６】
電池３のマウント部３ｃには、接続体８が取り付けられている（図４及び図５参照）。
【００２７】
接続体８は、何れも板状の金属材料から成る被取付部９とリード接続部１０と基板接続部１１とによって構成されている（図６及び図７参照）。
【００２８】
被取付部９は略長方形状を為し、長手方向における中央部に電池保護素子として用いられる温度ヒューズ１２が取り付けられている。
【００２９】
リード接続部１０は略Ｌ字状を為し、結合部１０ａと該結合部１０ａから直交する方向へ突出された突出部１０ｂとから成る。リード接続部１０は結合部１０ａが、被取付部９の温度ヒューズ１２が配置されていない側の面の一端部に重ね合わされた状態で取り付けられている。
【００３０】
基板接続部１１は略逆Ｌ字状を為しニッケル材料によって形成され、結合部１１ａと該結合部１１ａから直交する方向へ突出された突出部１１ｂとから成る。
基板接続部１１は結合部１１ａが、被取付部９の温度ヒューズ１２が配置されていない側の面の他端部に重ね合わされた状態で取り付けられている。
【００３１】
接続体８はリード接続部１０の突出部１０ｂと基板接続部１１の突出部１１ｂとが、被取付部９の長手方向に離間した状態で位置されている（図６参照）。
【００３２】
接続体８は、突出部１０ｂ、１１ｂ以外の部分が２つ折りにされた絶縁テープ１３によって覆われた状態で、当該絶縁テープ１３によって覆われた部分が粘着テープ１４を介して電池３のマウント部３ｃに取り付けられる（図３及び図４参照）。接続体８はリード接続部１０の突出部１０ｂが電池３から突出された第１の電極リード６に重ねられるようにしてマウント部３ｃに取り付けられ、基板接続部１１の突出部１１ｂが第１の電極リード６と第２の電極リード７との間に位置される。
【００３３】
第１の電極リード６には補強用タブ１５が取り付けられている（図３及び図５参照）。補強用タブ１５が取り付けられた第１の電極リード６は、重ね合わされたリード接続部１０の突出部１０ｂとともに１８０°折り返される（図４参照）。電池３の一方の面３ｄと反対側の他方の面３ｅの第１の電極リード６及び第２の電極リード７が突出された側の端部には絶縁シート１６が貼着されており、折り返された第１の電極リード６と突出部１０ｂとが絶縁シート１６上に位置され、その上から絶縁シート１７が電池３の他方の面３ｅに貼着される（図５参照）。このように第１の電極リード６と突出部１０ｂとを折り返すことにより、何れもニッケル材料によって形成された第２の電極リード７と基板接続部１１の突出部１１ｂとが電池３から突出された状態とされる（図４及び図５参照）。
【００３４】
各電池３、３、・・・は、第１の中継基板１８又は第２の中継基板１９を介して電気的に接続されている。
【００３５】
第１の中継基板１８には、電池３の長手方向及び幅方向に２行２列を為し互いに離間して位置された４つの接続部２０、２０、・・・が形成されている（図８参照）。接続部２０は電池３の幅方向に離間して形成された第１の電池接続部２０ａと第２の電池接続部２０ｂとから成り、第１の電池接続部２０ａと第２の電池接続部２０ｂとがともにニッケル材料によって形成されている。第１の中継基板１８には、第１の電池接続部２０ａ、２０ａ、・・・と第２の電池接続部２０ｂ、２０ｂ、・・・との間、又は、第１の電池接続部２０ａ、２０ａの真横、又は、第２の電池接続部２０ｂ、２０ｂの真横に、溶接用孔１８ａ、１８ａ、・・・が形成されている。
【００３６】
第１の中継基板１８の第１の電池接続部２０ａ、２０ａ、・・・には、それぞれ電池３、３、・・・から突出された接続体８、８、・・・の基板接続部１１、１１、・・・の突出部１１ｂ、１１ｂ、・・・が溶接によって接合される。第１の中継基板１８の第２の電池接続部２０ｂ、２０ｂ、・・・には、それぞれ電池３、３、・・・から突出された第２の電極リード７、７、・・・が溶接によって接合される。
【００３７】
第１の中継基板１８の第１の電池接続部２０ａ、２０ａ、・・・と第２の電池接続部２０ｂ、２０ｂ、・・・とに、それぞれ基板接続部１１、１１、・・・の突出部１１ｂ、１１ｂ、・・・と第２の電極リード７、７、・・・とが接合された状態においては、第１の中継基板１８を挟んで反対側に２つずつの電池３、３、・・・が位置される。第１の中継基板１８には、接続部２０、２０、・・・を覆うようにして絶縁シート２１が貼着される（図２参照）。
【００３８】
第２の中継基板１９には、電池３の幅方向に離間して位置された２つの接続部２２、２２が形成されている（図９参照）。接続部２２は電池３の幅方向に離間して形成された第１の電池接続部２２ａと第２の電池接続部２２ｂとから成り、第１の電池接続部２２ａと第２の電池接続部２２ｂとがともにニッケル材料によって形成されている。第２の中継基板１９には、第１の電池接続部２２ａ、２２ａと第２の電池接続部２２ｂ、２２ｂとの間、又は、第１の電池接続部２２ａ、２２ａの真横に、溶接用孔１９ａ、１９ａ、・・・が形成されている。
【００３９】
第２の中継基板１９の第１の電池接続部２２ａ、２２ａには、それぞれ電池３、３から突出された接続体８、８の基板接続部１１、１１の突出部１１ｂ、１１ｂが溶接によって接合される。第２の中継基板１９の第２の電池接続部２２ｂ、２２ｂには、それぞれ電池３、３から突出された第２の電極リード７、７が溶接によって接合される。
【００４０】
第２の中継基板１９の第１の電池接続部２２ａ、２２ａと第２の電池接続部２２ｂ、２２ｂとに、それぞれ基板接続部１１、１１の突出部１１ｂ、１１ｂと第２の電極リード７、７とが接合された状態において、第２の中継基板１９に、接続部２２、２２を覆うようにして２つ折りにされた絶縁シート２３が貼着される（図２参照）。
【００４１】
上記した第１の中継基板１８及び第２の中継基板１９に対する第２の電極リード７と基板接続部１１の溶接による接合時には、上記のように、第１の電極リード６と突出部１０ｂとが電池３の他方の面３ｅ側に折り返されているため、第１の電極リード６と突出部１０ｂとが電池３から突出されておらず、第１の電極リード６と突出部１０ｂとが溶接作業の妨げとならず溶接作業における作業性の向上を図ることができる。
【００４２】
また、第１の電極リード６と突出部１０ｂとが電池３の他方の面３ｅ側に折り返されているため、その分、電池３のケース体２内への収納スペースを小さくすることができ、電池収納パック１の小型化を図ることができる。
【００４３】
さらに、接続体８の基板接続部１１を第１の中継基板１８の第１の電池接続部２０ａ及び第２の中継基板１９の第１の電池接続部２２ａと同じニッケル材料によって形成したので、溶接作業を容易に行うことができると共に基板接続部１１と第１の電池接続部２０ａ、２２ａとの間の十分な結合力を得ることができる。
【００４４】
第１の中継基板１８を介して接続された電池３、３、・・・のうちケース体２の半部２ａ内に収納される電池３、３の上側に、第２の中継基板１９を介して接続された電池３、３が配置され、この状態で全ての電池３、３、・・・がケース体２内に収納される（図１参照）。
【００４５】
第１の中継基板１８を介して接続された４つの電池３、３、・・・がケース体２内に収納された状態においては、電池３、３、・・・から突出された第２の電極リード７、７、・・・及び接続体８、８、・・・の基板接続部１１、１１、・・・の突出部１１ｂ、１１ｂ、・・・が所定の方向へ屈曲されている（図１０参照）。即ち、第２の電極リード７、７、・・・及び基板接続部１１、１１、・・・の突出部１１ｂ、１１ｂ、・・・は、何れも長手方向における一端寄りの部分と他端寄りの部分とが略１８０°折り返され、電池３、３、・・・のマウント部３ｃ、３ｃ、・・・が設けられた側の端部と第１の中継基板１８の一端部とが上下に位置するように配置されている。
【００４６】
従って、ケース体２内の電池３、３、・・・及び第１の中継基板１８についての収納スペースを有効に利用することができ、電池収納パック１の小型化を図ることができる。
【００４７】
ケース体２の接続用開口２ｃの近傍には、メイン回路基板２４とサブ回路基板２５とが離間した状態で配置される（図２参照）。メイン回路基板２４には第１の中継基板１８と第２の中継基板１９とが電気的に接続されており、メイン回路基板２４によって全ての電池３、３、・・・が、例えば、直列に接続される。
【００４８】
メイン回路基板２４とサブ回路基板２５との間にはコネクター用タブ２６が配置され、該コネクター用タブ２６にサブ基板２５を介してコネクター２７が接続される。コネクター２７はケース体２の接続用開口２ｃに配置され、パーソナルコンピューターの本体部に収納された状態において、当該本体部に設けられたコネクターに接続される。
【００４９】
以上に記載した通り、電池収納パック１にあっては、接続体８が、電池保護素子として用いられる温度ヒューズ１２を有しマウント部３ｃに取り付けられる被取付部９と、第１の電極リード６に接続されるリード接続部１０と、第１の中継基板１８の第２の電池接続部２０ｂ又は第２の中継基板１９の第２の電池接続部２２ｂに接続される基板接続部１１とによって構成されている。
【００５０】
従って、電池３に取り付けた接続体８のリード接続部１０を第１の電極リード６に接続し、基板接続部１１と第２の電極リード７とをそれぞれ第１の中継基板１８の第１の電池接続部２０ａと第２の電池接続部２０ｂ、又は、第２の中継基板１９の第１の電池接続部２２ａと第２の電池接続部２２ｂとに接続すればよく、電池収納パック１の組立作業における作業工数を低減することができると共に作業時間の短縮化を図ることができる。
【００５１】
特に、複数の電池３、３、・・・が互いに接続されてケース体２内に収納されるような上記した電池収納パック１を製造しようとしたときには、作業性の向上による生産性が極めて高いものとなる。
【００５２】
以下に、電池収納パック１の製造方法（組立方法）について説明する（図１１乃至図１８参照）。
【００５３】
先ず、電池３のマウント部３ｃに両面に糊付けされた粘着テープ１４を貼着する（図１１参照）。
【００５４】
次に、電池３の他方の面３ｅの第１の電極リード６及び第２の電極リード７が突出された側の端部に、絶縁シート１６を貼着する（図１２参照）。
【００５５】
次に、接続体８の絶縁テープ１３によって覆われた部分を、既にマウント部３ｃに貼着されている粘着テープ１４によって電池３のマウント部３ｃに取り付ける（図１３参照）。接続体８はリード接続部１０の突出部１０ｂが電池３から突出された第１の電極リード６に重ねられるようにしてマウント部３ｃに取り付けられ、基板接続部１１の突出部１１ｂが第１の電極リード６と第２の電極リード７との間に位置される。このとき第１の電極リード６に補強用タブ１５を取り付ける。
【００５６】
次に、補強用タブ１５が取り付けられた第１の電極リード６を、重ね合わされたリード接続部１０の突出部１０ｂとともに電池３の他方の面３ｅ側へ折り返し、折り返した第１の電極リード６と突出部１０ｂとを覆うようにして絶縁シート１７を電池３の裏面側に貼着する（図１４参照）。このように第１の電極リード６と突出部１０ｂとを折り返すことにより、何れもニッケル材料によって形成された第２の電極リード７と基板接続部１１の突出部１１ｂとが電池３から突出された状態とされる。
【００５７】
次に、第１の中継基板１８の第１の電池接続部２０ａと第２の電池接続部２０ｂとに、それぞれ基板接続部１１の突出部１１ｂと第２の電極リード７とを溶接によって接合する（図１５参照）。
【００５８】
第１の中継基板１８には、溶接用孔１８ａが形成されており、これを用いて突出部１１ｂと第２の電極リード７との溶接方法として所謂インダイレクト溶接を用いることができる（図１６参照）。
【００５９】
インダイレクト溶接は、例えば、突出部１１ｂと第１の電池接続部２０ａとの溶接の場合には、第１の電池接続部２０ａ上に突出部１１ｂを重ね合わせておき、プラス側電極棒２８を突出部１１ｂの上側に配置し、マイナス側電極棒２９を溶接用孔１８ａの上側に配置し、第１の中継基板１８の下側に溶接用治具３０を配置して行う。プラス側電極棒２８からアークが出射され突出部１１ｂ、第１の電池接続部２０ａ、溶接用治具３０及び溶接用孔１８ａを介してマイナス側電極棒２９にアークが入射され、突出部１１ｂと第１の電池接続部２０ａとが接合される。
【００６０】
このようにインダイレクト溶接を行えば、第１の中継基板１８に対してプラス側電極棒２８とマイナス側電極棒２９を適宜に移動させていくことにより、突出部１１ｂ、１１ｂ、・・・と第１の電池接続部２０ａ、２０ａ、・・・との溶接及び第２の電極リード７、７、・・・と第２の電池接続部２０ｂ、２０ｂ、・・・との溶接を連続して行うことができ、溶接作業における作業効率の格段の向上を図ることができる。
【００６１】
次に、４つの電池３、３、・・・について第１の中継基板１８に対する上記した全ての溶接作業を終えた後に、第１の中継基板１８の接続部２０、２０、・・・を覆うようにして絶縁シート２１を貼着する（図１７参照）。
【００６２】
次に、第２の電極リード７、７、・・・及び基板接続部１１、１１、・・・の突出部１１ｂ、１１ｂ、・・・の各長手方向における一端寄りの部分と他端寄りの部分とを略１８０°折り返し、電池３、３、・・・のマウント部３ｃ、３ｃ、・・・が設けられた側の部分と第１の中継基板１８の一端部とが上下に位置するように配置する（図１８参照）。
【００６３】
次いで、電池３、３、・・・を第１の中継基板１８を介して接続する上記の場合と同様にして、電池３、３を第２の中継基板１９を介して接続する。
【００６４】
最後に、メイン回路基板２４、サブ回路基板２５等の所要の各部材をケース体２の所定の位置に配置すると共に第１の中継基板１８を介して接続された電池３、３、・・・及び第２の中継基板１９を介して接続された電池３、３をケース体２内に収納して電池収納パック１の製造（組立）を完了する。
【００６５】
上記には、接続体８のリード接続部１０を電池本体３ａの正極に接続された第１の電極リード６に接続し、第２の電極リード７を第１の中継基板１８の第２の電池接続部２０ｂ又は第２の中継基板１９の第２の電池接続部２２ｂに接続した場合を示したが、逆に、接続体８のリード接続部１０を電池本体３ａの負極に接続された第２の電極リード７に接続し、基板接続部１１の突出部１１ｂを第１の中継基板１８の第２の電池接続部２０ｂ又は第２の中継基板１９の第２の電池接続部２２ｂに接続すると共に第１の電極リード６を第１の中継基板１８の第１の電池接続部２０ａ又は第２の中継基板１９の第１の電池接続部２２ａに接続してもよい。
【００６６】
但し、この場合には、アルミニウム材料によって形成された第１の電極リード６を、溶接によって第１の中継基板１８の第１の電池接続部２０ａ又は第２の中継基板１９の第１の電池接続部２２ａに接続することになる。
【００６７】
また、上記には、被取付部９とリード接続部１０と基板接続部１１の３つの部材によって構成された接続体８を用いた場合を示したが、接続体８に代えて、図１９に示すような、被取付部９Ａとリード接続部１０Ａと基板接続部１１Ａとが一体に形成された接続体８Ａを用いてもよい。各部が一体に形成された接続体８Ａを用いることにより、部品点数の削減を図ることができると共に３つの部材を組み付ける作業を行う必要もなく作業性の一層の向上を図ることができる。
【００６８】
上記した実施の形態において示した各部の具体的な形状及び構造は、何れも本発明を実施する際の具体化のほんの一例を示したものにすぎず、これらによって本発明の技術的範囲が限定的に解釈されることがあってはならないものである。
【００６９】
【発明の効果】
以上に記載したところから明らかなように、本発明電池収納パックは、正極又は負極にそれぞれ接続された一対の電極リードが突出された電池と一対の電池接続部を有する基板とがケース体内に収納されると共に、一方の電極リードが基板の一方の電池接続部に接続された電池収納パックであって、電池保護素子を有し電池に取り付けられる被取付部と、該被取付部から突出され他方の電極リードに接続されるリード接続部と、被取付部からリード接続部と離間した状態で該リード接続部と同じ方向へ突出され基板の他方の電池接続部に接続される基板接続部とによって構成された接続体を備え、他方の電極リードが基板の他方の電池接続部に接続体を介して接続されるようにし、接続体の被取付部とリード接続部と基板接続部とを一体に形成したことを特徴とする。
そして、別の本発明電池収納パックは、電池保護素子を有し電池に取り付けられる被取付部と、該被取付部から突出され他方の電極リードに接続されるリード接続部と、被取付部からリード接続部と離間した状態で該リード接続部と同じ方向へ突出され基板の他方の電池接続部に接続される基板接続部とによって構成された接続体を設け、他方の電極リードを基板の他方の電池接続部に接続体を介して接続するようにし、基板に一対の電池接続部を複数形成して複数の電池を基板を介して接続し、一方の電極リードと接続体の基板接続部とを同じ方向に屈曲させた状態で基板の各電池接続部に接続するようにしたことを特徴とする。
【００７０】
従って、電池に取り付けた接続体のリード接続部を他方の電極リードに接続し、基板接続部と一方の電極リードとをそれぞれ基板の各電池接続部に接続すればよく、電池収納パックの組立作業における作業工数を低減することができると共に作業時間の短縮化を図ることができる。
【００７１】
特に、複数の電池が互いに接続されてケース体内に収納されるような電池収納パックを製造しようとしたときには、作業性の向上による生産性が極めて高いものとなる。
そして、接続体の被取付部とリード接続部と基板接続部とを一体に形成したので、部品点数の削減を図ることができると共に複数の部材を組み付けて接続体を形成する作業を行う必要もなく作業性の一層の向上を図ることができる。
あるいは、基板に一対の電池接続部を複数形成して複数の電池を基板を介して接続し、一方の電極リードと接続体の基板接続部とを同じ方向に屈曲させた状態で基板の各電池接続部に接続するようにしたので、ケース体内の電池及び基板についての収納スペースを有効に利用することができ、電池収納パックの小型化を図ることができる。
【００７２】
請求項３に記載した発明にあっては、上記他方の電極リードに接続したリード接続部を当該他方の電極リードとともに折り返し、電池の被取付部が取り付けられた面と反対側の面に他方の電極リードとリード接続部とを取り付けるようにしたので、リード接続部と他方の電極リードとが基板接続部及び一方の電極リードの各電池接続部への接合作業の妨げとならず、接合作業における作業性の向上を図ることができる。
【００７３】
また、電池のケース体内への収納スペースを小さくすることができ、電池収納パックの小型化を図ることができる。
【００７４】
請求項４に記載した発明にあっては、接続体の基板接続部を基板の他方の電池接続部と同じ材料によって形成したので、基板接続部と基板の電池接続部との溶接作業を容易に行うことができると共に基板接続部と電池接続部との間の十分な結合力を得ることができる。
【００７７】
本発明電池保護素子を有する接続体は、正極又は負極にそれぞれ接続された一対の電極リードが突出された電池と一対の電池接続部を有する基板とがケース体内に収納されると共に一方の電極リードが基板の一方の電池接続部に接続された電池収納パックに用いられる電池保護素子を有する接続体であって、電池保護素子を有し電池に取り付けられる被取付部と、該被取付部から突出され他方の電極リードに接続されるリード接続部と、被取付部からリード接続部と離間した状態で該リード接続部と同じ方向へ突出され基板の他方の電池接続部に接続される基板接続部とによって構成され、被取付部とリード接続部と基板接続部とを一体に形成したことを特徴とする。
そして、別の本発明電池保護素子を有する接続体は、正極又は負極にそれぞれ接続された一対の電極リードが突出された電池と一対の電池接続部を有する基板とがケース体内に収納されると共に一方の電極リードが基板の一方の電池接続部に接続された電池収納パックに用いられる電池保護素子を有する接続体であって、電池保護素子を有し電池に取り付けられる被取付部と、該被取付部から突出され他方の電極リードに接続されるリード接続部と、被取付部からリード接続部と離間した状態で該リード接続部と同じ方向へ突出され基板の他方の電池接続部に接続される基板接続部とによって構成され、一対の電池接続部が複数形成された基板を介して複数の電池を接続し、基板接続部を一方の電極リードと同じ方向に屈曲させた状態で基板の他方の電池接続部に接続するようにしたことを特徴とする。
【００７８】
従って、電池に取り付けた接続体のリード接続部を他方の電極リードに接続し、基板接続部と一方の電極リードとをそれぞれ基板の各電池接続部に接続すればよく、接続体が用いられる電池収納パックの組立作業における作業工数を低減することができると共に作業時間の短縮化を図ることができる。
【００７９】
特に、複数の電池が互いに接続されてケース体内に収納されるような電池収納パックを製造しようとしたときには、作業性の向上による生産性が極めて高いものとなる。
そして、被取付部とリード接続部と基板接続部とを一体に形成したので、部品点数の削減を図ることができると共に複数の部材を組み付けて接続体を形成する作業を行う必要もなく作業性の一層の向上を図ることができる。
あるいは、一対の電池接続部が複数形成された基板を介して複数の電池が接続され、基板接続部を一方の電極リードと同じ方向に屈曲させた状態で基板の他方の電池接続部に接続するようにしたので、ケース体内の電池及び基板についての収納スペースを有効に利用することができ、接続体が用いられる電池収納パックの小型化を図ることができる。
【００８０】
請求項７に記載した発明にあっては、上記他方の電極リードに接続したリード接続部を当該他方の電極リードとともに折り返し、電池の被取付部が取り付けられた面と反対側の面に他方の電極リードとリード接続部とを取り付けるようにしたので、リード接続部と他方の電極リードとが基板接続部及び一方の電極リードの各電池接続部への接合作業の妨げとならず、接合作業における作業性の向上を図ることができる。
【００８１】
また、電池のケース体内への収納スペースを小さくすることができ、接続体が用いられる電池収納パックの小型化を図ることができる。
【００８２】
請求項８に記載した発明にあっては、上記基板接続部を基板の他方の電池接続部と同じ材料によって形成したので、基板接続部と基板の電池接続部との溶接作業を容易に行うことができると共に基板接続部と電池接続部との間の十分な結合力を得ることができる。
【００８５】
本発明電池収納パックの製造方法は、正極又は負極にそれぞれ接続された一対の電極リードが突出された電池と一対の電池接続部を有する基板とがケース体内に収納された電池収納パックの製造方法であって、電池保護素子を有する被取付部と該被取付部から突出されたリード接続部と被取付部からリード接続部と離間した状態で該リード接続部と同じ方向へ突出された基板接続部とから成る接続体の上記被取付部を電池に取り付け、リード接続部を一方の電極リードに接続し該一方の電極リードとともに折り返し、電池の被取付部が取り付けられた面と反対側の面にリード接続部と一方の電極リードとを取り付け、接続体の基板接続部を基板の一方の電池接続部に接続すると共に他方の電極リードを基板の他方の電池接続部に接続するようにしたことを特徴とする。
【００８６】
従って、リード接続部と一方の電極リードとが基板接続部及び他方の電極リードの各電池接続部への接合作業の妨げとならず、接合作業における作業性の向上を図ることができる。
【００８７】
また、電池のケース体内への収納スペースを小さくすることができ、電池収納パックの小型化を図ることができる。
【００８８】
別の本発明電池収納パックの製造方法は、正極又は負極にそれぞれ接続された一対の電極リードが突出された複数の電池と一対の電池接続部を複数有する基板とがケース体内に収納された電池収納パックの製造方法であって、電池保護素子を有する被取付部と該被取付部から突出されたリード接続部と被取付部からリード接続部と離間した状態で該リード接続部と同じ方向へ突出された基板接続部とから成る複数の接続体の各被取付部を各電池に取り付けると共に各リード接続部を一方の各電極リードに接続し、接続体の各基板接続部を基板の一方の各電池接続部に接続すると共に他方の各電極リードを基板の他方の各電池接続部に接続し、上記他方の各電極リードと接続体の各基板接続部とを同じ方向に屈曲させた状態で他方の各電極リードと各基板接続部とを基板の各電池接続部にそれぞれ接続するようにしたことを特徴とする。
【００８９】
従って、ケース体内の電池及び基板についての収納スペースを有効に利用することができ、電池収納パックの小型化を図ることができる。
【図面の簡単な説明】
【図１】図２乃至図１９と共に本発明電池収納パック、これに用いられる電池保護素子を有する接続体及び電池収納パックの製造方法の実施の形態を示すものであり、本図は電池収納パックの斜視図である。
【図２】電池収納パックの分解斜視図である。
【図３】電池とこれに取り付けられる各部品とを示す拡大分解斜視図である。
【図４】電池とこれに取り付けられた各部品とを示す拡大斜視図である。
【図５】電池とこれに取り付けられた各部品とを図４とは反対側から見た状態で示す拡大斜視図である。
【図６】接続体とこれに取り付けられる絶縁テープとを示す拡大斜視図である。
【図７】接続体の拡大分解斜視図である。
【図８】第１の中継基板と電極リードとの関係を示す拡大斜視図である。
【図９】第２の中継基板と電極リードとの関係を示す拡大斜視図である。
【図１０】接続体の基板接続部及び第２の電極リードが屈曲された状態を一部を断面にして示す拡大側面図である。
【図１１】図１２乃至図１８と共に電池収納パックの製造方法を示すものであり、本図は電池のマウント部に粘着テープが貼着された状態を示す拡大平面図である。
【図１２】電池に絶縁シートが貼着された状態を示す拡大底面図である。
【図１３】電池のマウント部に接続体が取り付けられた状態を示す拡大平面図である。
【図１４】第１の電極リードが接続体のリード接続部とともに折り返された状態を示す拡大底面図である。
【図１５】第２の電極リードと接続体の基板接続部とが第１の中継基板の各電池接続部に接合された状態を示す拡大平面図である。
【図１６】インダイレクト溶接が行われている状態を一部を断面にして示す拡大側面図である。
【図１７】第１の中継基板に絶縁シートが貼着された状態を示す拡大平面図である。
【図１８】接続体の基板接続部及び第２の電極リードが屈曲された状態を示す拡大側面図である。
【図１９】各部が一体に形成された接続体を示す拡大斜視図である。
【図２０】従来の電池収納パックの内部構造の一例を示す拡大分解斜視図である。
【符号の説明】
１…電池収納パック、２…ケース体、３…電池、６…第１の電極リード、７…第２の電極リード、８…接続体、９…被取付部、１０…リード接続部、１１…基板接続部、１２…温度ヒューズ（電池保護素子）、１８…第１の中継基板（基板）、１９…第２の中継基板（基板）、２０ａ…第１の電池接続部、２０ｂ…第２の電池接続部、２２ａ…第１の電池接続部、２２ｂ…第２の電池接続部、８Ａ…接続体、９Ａ…被取付部、１０Ａ…リード接続部、１１Ａ…基板接続部
【図１】
0004984366.tif 000002
【図２】
0004984366.tif 000003
【図３】
0004984366.tif 000004
【図４】
0004984366.tif 000005
【図５】
0004984366.tif 000006
【図６】
0004984366.tif 000007
【図７】
0004984366.tif 000008
【図８】
0004984366.tif 000009
【図９】
0004984366.tif 000010
【図１０】
0004984366.tif 000011
【図１１】
0004984366.tif 000012
【図１２】
0004984366.tif 000013
【図１３】
0004984366.tif 000014
【図１４】
0004984366.tif 000015
【図１５】
0004984366.tif 000016
【図１６】
0004984366.tif 000017
【図１７】
0004984366.tif 000018
【図１８】
0004984366.tif 000019
【図１９】
0004984366.tif 000020
【図２０】
0004984366.tif 000021